【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】表示装置、コンピュータ、ビデオカメラ、デジタルカメラ、ゴーグル型ディスプレイ、ナビゲーションシステム、音響再生装置、ゲーム機器、携帯情報端末、及び画像再生装置
【手続補正２】
【補正対象書類名】明細書
【補正対象項目名】特許請求の範囲
【補正方法】変更
【補正の内容】
【特許請求の範囲】
【請求項１】
表示部と、センサ部とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は発光素子をそれぞれ有しており、
前記１つ又は複数のセンサ用画素は受光ダイオードをそれぞれ有しており、
前記受光ダイオードを流れる電流の大きさによって、前記複数の表示用画素がそれぞれ有する発光素子の輝度が制御されることを特徴とする表示装置。
【請求項２】
表示部と、センサ部とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は、スイッチング用ＴＦＴ、電流制御用ＴＦＴ、及び発光素子をそれぞれ有しており、
前記１つ又は複数のセンサ用画素は、リセット用ＴＦＴ、バッファ用ＴＦＴ、及び受光ダイオードをそれぞれ有しており、
前記スイッチング用ＴＦＴは前記電流制御用ＴＦＴの駆動を制御し、
前記電流制御用ＴＦＴは前記発光素子の発光を制御し、
前記バッファ用ＴＦＴは、ゲート電極と、定電流電源に接続されたソース領域と、一定の電位に保たれているドレイン領域とを有しており、
前記リセット用ＴＦＴがオンの時、前記ゲート電極と前記ドレイン領域の電位は等しくなり、
前記リセット用ＴＦＴがオフの時、前記受光ダイオードを流れる電流に応じて前記ゲート電極の電位が変化することによって、前記複数の表示用画素がそれぞれ有する発光素子の輝度が制御されることを特徴とする表示装置。
【請求項３】
表示部と、センサ部とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は、スイッチング用ＴＦＴ、電流制御用ＴＦＴ、及び発光素子をそれぞれ有しており、
前記１つ又は複数のセンサ用画素は、リセット用ＴＦＴ、バッファ用ＴＦＴ、及び受光ダイオードをそれぞれ有しており、
前記スイッチング用ＴＦＴは前記電流制御用ＴＦＴの駆動を制御し、
前記電流制御用ＴＦＴは前記発光素子の発光を制御し、
前記バッファ用ＴＦＴは、ゲート電極と、定電流電源に接続されたソース領域と、一定の電位に保たれているドレイン領域とを有しており、
前記リセット用ＴＦＴがオンの時、前記ゲート電極と前記ドレイン領域の電位は等しくなり、
前記リセット用ＴＦＴがオフの時、前記受光ダイオードを流れる電流に応じて前記ゲート電極の電位が変化することによって、前記複数の表示用画素がそれぞれ有する発光素子の輝度が制御され、
前記バッファ用ＴＦＴのソース領域は、補正回路と接続され、
前記補正回路は、Ａ/Ｄ変換回路と、演算回路と、補正メモリと、Ｄ/Ａ変換回路とを有することを特徴とする表示装置。
【請求項４】
表示部と、センサ部と、ソース信号線駆動回路と、ゲート信号線駆動回路とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は、スイッチング用ＴＦＴ、電流制御用ＴＦＴ、及び発光素子をそれぞれ有しており、
前記１つ又は複数のセンサ用画素は、リセット用ＴＦＴ、バッファ用ＴＦＴ、及び受光ダイオードをそれぞれ有しており、
前記ゲート信号線駆動回路から前記スイッチング用ＴＦＴが有するゲート電極に入力される信号によって、前記スイッチング用ＴＦＴの駆動が制御され、
前記ソース信号線駆動回路から前記スイッチング用ＴＦＴを介して前記電流制御用ＴＦＴが有するゲート電極に入力される信号によって、前記電流制御用ＴＦＴの駆動が制御され、
前記電流制御用ＴＦＴは前記発光素子の発光を制御し、
前記バッファ用ＴＦＴは、ゲート電極と、定電流電源に接続されたソース領域と、一定の電位に保たれているドレイン領域とを有しており、
前記リセット用ＴＦＴがオンの時、前記ゲート電極と前記ドレイン領域の電位は等しくなり、
前記リセット用ＴＦＴがオフの時、前記受光ダイオードを流れる電流に応じて前記ゲート電極の電位が変化することによって、前記複数の表示用画素がそれぞれ有する発光素子の輝度が制御されることを特徴とする表示装置。
【請求項５】
請求項１乃至請求項４のいずれか１項において、
前記発光素子は、赤色、青色又は緑色に発光することを特徴とする表示装置。
【請求項６】
請求項１乃至請求項５のいずれか１項において、
前記リセット用ＴＦＴはｎチャネル型ＴＦＴであり、前記バッファ用ＴＦＴはｐチャネル型ＴＦＴであることを特徴とする表示装置。
【請求項７】
請求項１乃至請求項５のいずれか１項において、
前記リセット用ＴＦＴはｐチャネル型ＴＦＴであり、前記バッファ用ＴＦＴはｎチャネル型ＴＦＴであることを特徴とする表示装置。
【請求項８】
請求項１乃至請求項７のいずれか１項において、
前記受光ダイオードによって、前記センサ用画素の有する発光素子の輝度を検知することを特徴とする表示装置。
【請求項９】
請求項１乃至請求項７のいずれか１項において、
前記受光ダイオードによって、前記センサ用画素の有する発光素子の輝度及び外光の輝度を検知することを特徴とする表示装置。
【請求項１０】
表示部と、センサ部とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は、スイッチング用ＴＦＴ、電流制御用ＴＦＴ、及び発光素子をそれぞれ有しており、
前記１つ又は複数のセンサ用画素は、リセット用ＴＦＴ、バッファ用ＴＦＴ、及びセンサＴＦＴをそれぞれ有しており、
前記スイッチング用ＴＦＴは前記電流制御用ＴＦＴの駆動を制御し、
前記電流制御用ＴＦＴは前記発光素子の発光を制御し、
前記センサＴＦＴは常にオフになっており、
前記バッファ用ＴＦＴは、ゲート電極と、定電流電源に接続されたソース領域と、一定の電位に保たれているドレイン領域とを有しており、
前記リセット用ＴＦＴがオンの時、前記ゲート電極と前記ドレイン領域の電位は等しくなり、
前記リセット用ＴＦＴがオフの時、前記センサＴＦＴを流れるオフ電流に応じて前記ゲート電極の電位が変化することによって、前記複数の表示用画素がそれぞれ有する発光素子の輝度が制御されることを特徴とする表示装置。
【請求項１１】
表示部と、センサ部と、ソース信号線駆動回路と、ゲート信号線駆動回路とを有する表示装置であって、
前記表示部は複数の表示用画素を有しており、
前記センサ部は１つ又は複数のセンサ用画素を有しており、
前記複数の表示用画素及び前記１つ又は複数のセンサ用画素は、スイッチング用ＴＦＴ、電流制御用ＴＦＴ、及び発光素子をそれぞれ有しており、
前記１つ又は複数のセンサ用画素は、リセット用ＴＦＴ、バッファ用ＴＦＴ、及びセンサＴＦＴをそれぞれ有しており、
前記ゲート信号線駆動回路から前記スイッチング用ＴＦＴが有するゲート電極に入力される信号によって、前記スイッチング用ＴＦＴが駆動し、
前記ソース信号線駆動回路から前記スイッチング用ＴＦＴを介して前記電流制御用ＴＦＴが有するゲート電極に入力される信号によって、前記電流制御用ＴＦＴの駆動が制御され、
前記電流制御用ＴＦＴは前記発光素子の発光を制御し、
前記センサＴＦＴは常にオフになっており、
前記バッファ用ＴＦＴは、ゲート電極と、定電流電源に接続されたソース領域と、一定の電位に保たれているドレイン領域とを有しており、
前記リセット用ＴＦＴがオンの時、前記ゲート電極と前記ドレイン領域の電位は等しくなり、
前記リセット用ＴＦＴがオフの時、前記センサＴＦＴを流れるオフ電流に応じて前記ゲート電極の電位が変化することによって、前記複数の表示用画素がそれぞれ有する発光素子の輝度が制御されることを特徴とする表示装置。
【請求項１２】
請求項１０または請求項１１において、
前記発光素子は、赤色、青色又は緑色に発光することを特徴とする表示装置。
【請求項１３】
請求項１０乃至請求項１２のいずれか１項において、
前記リセット用ＴＦＴはｎチャネル型ＴＦＴであり、前記バッファ用ＴＦＴはｐチャネル型ＴＦＴであり、前記センサＴＦＴはｐチャネル型ＴＦＴであることを特徴とする表示装置。
【請求項１４】
請求項１０乃至請求項１２のいずれか１項において、
前記リセット用ＴＦＴはｐチャネル型ＴＦＴであり、前記バッファ用ＴＦＴはｎチャネル型ＴＦＴであり、前記センサＴＦＴはｎチャネル型ＴＦＴであることを特徴とする表示装置。
【請求項１５】
請求項１０乃至請求項１４のいずれか１項において、
前記センサＴＦＴはボトムゲート型薄膜トランジスタであることを特徴とする表示装置。
【請求項１６】
請求項１乃至請求項１５のいずれか１項において、
前記発光素子は、前記陽極と前記陰極との間に有機化合物層を有しており、前記有機化合物層は低分子系有機物質またはポリマー系有機物質を有することを特徴とする表示装置。
【請求項１７】
請求項１６において、
前記低分子系有機物質は、Ａｌｑ3（トリス−８−キノリライト−アルミニウム）またはＴＰＤ（トリフェニルアミン誘導体）からなることを特徴とする表示装置。
【請求項１８】
請求項１６において、
前記ポリマー系有機物質は、ＰＰＶ（ポリフェニレンビニレン）、ＰＶＫ（ポリビニルカルバゾール）またはポリカーボネートからなることを特徴とする表示装置。
【請求項１９】
請求項１６乃至１８のいずれか１項において、
前記陽極は、酸化インジウムと酸化スズとの化合物、または酸化インジウムと酸化亜鉛との化合物でなる透明導電膜であることを特徴とする表示装置。
【請求項２０】
請求項１乃至請求項１９のいずれか１項に記載の前記表示装置を用いることを特徴とするコンピュータ、ビデオカメラ、デジタルカメラ、ゴーグル型ディスプレイ、ナビゲーションシステム、音響再生装置、ゲーム機器、携帯情報端末、または画像再生装置。